(57)【要約】      （修正有）【課題】灯油タンクからの送油管が切断されたとき、油の流量変化を検出して油の流出を速やかに止める安全装置を提供する。【解決手段】本装置は長さ６０ｍｍ程で内径ほぼ８ｍｍの管状のもので油タンクの出口と送油管の間に取り付け、管内には管の内径より少し小さな直径の鋼球が入れてあり、油の流れる管内の入り口付近は鋼球がそこに停留しておられるよう、少し凹ませた準安定場所が設けてある。また管の出口付近は内径をテーパー状に絞り込み最終的には鋼球の直径よりも細くしてある。【選択図】図１
0003151627.tif 000002
【実用新案登録請求の範囲】
【請求項１】
本装置は長さ約６０ｍｍ、直径２０〜２５ｍｍ、内径約８ｍｍの穴のあいた管状をしており、灯油タンク等の送油管が破断された際に、油の流出を止めるために、タンクの油出口と送油管の間に後部が若干高く（角度にして１〜２度）なるように接続し、装置内の入り口近くの一部の管径を内径９ｍｍ程に太くしてそこを準安定場所とし、そこに直径７．５ｍｍ程の鋼球を置き、装置の出口近くの管径は８ｍｍから暫時鋼球の直径より細くしてあり、油の流れが定常状態より速く流れ出すと鋼球は準安定場所から押し出され、出口近くの細くなった鋼球捕捉部分に押し付けられて油の流れを止めることを特徴とする油流出遮断装置。
【請求項２】
鋼球の置かれている準安定場所の太くなった部分の底に直径４ｍｍ程のビスの先端部があり、ビスを回転してその先端部を上下させ、鋼球の置かれている場所の深さを調節して、鋼球を安定場所から押し出すに必要な力を変えることにより、油の流れを遮断する流量の閾値を変化させることのできる調節機構が取り付けてあることを特徴とする請求項１記載の油流出遮断装置。
【請求項３】
本装置の準安定場所に鋼球が有るか無いかを確認するために、準安定場所を挟んで管壁の前と後ろ両側に透明な小窓を嵌め込んであることを特徴とする請求項１記載の油流出遮断装置。
【請求項４】
本装置の出口近くの鋼球捕捉部に押し付けられた鋼球を外すために鋼球捕捉部の後方に鋼球押し出し用のビスが取り付けてあり、必要に応じてビスを外側から回すと、ビスの先端が管内に突出して、鋼球を鋼球捕捉部から外すことができるようになっていることを特徴とする請求項１記載の油流出遮断装置。
【請求項５】
本装置を灯油タンク等に取り付け、油を充填して通常の動作をさせるまで、鋼球が準安定場所から動かないように、準安定場所に鋼球保持用のビスを取り付けて鋼球を押さえておき、すべてのセットが終わった段階で、外からビスを回して緩め、鋼球が自由に動けるようにしてあることを特徴とする請求項１記載の油流出遮断装置。
【考案の詳細な説明】
【技術分野】
【０００１】  灯油タンク等の送油管が切断された折、油の流出を止めるための安全装置に関する。
【従来技術】
【０００２】  通常灯油タンクは屋外で建物に隣接した場所に置かれ、それから延びる送油管はいったん地下に潜ってから建物内で立ち上がり、ボイラー等に接続されている。
【０００３】  その送油管は直径１０ｍｍ程の銅管で、道具を使用すれば簡単に切断することができ、不心得者が管を切断して灯油をタンクから抜き取って盗む事件が少なからず発生している。
【０００４】  これを防ぐために様々な工夫がなされている。例えば実新文献にあるように、油タンクのストップバルブの取っ手に固定されたレバーはバネの力でストップバルブを閉められるようになっているが、レバーはその位置からバネの力に抗して回転させ、バルブが開の位置になるところでレバーはフックで保持されるようにしてあり、そのフックは送油管が切断されたり、ゆすぶられたりした折外れるようになっている。しかしそれら仕掛けは送油管の外側に位置しているので、それら仕掛けを回避して油が盗まれることがあった。
【実新文献】
実新第３１２０２２７号
【考案の開示】
【考案が解決しようとする課題】
【０００５】  本考案は上記問題に鑑みてなされたものであり、仕掛けをバルブあるいは送油管の外側にセットするのではなく流路内に設置し、灯油タンクからの送油管が切断されたとき、油の流量変化を検出して油の流出を速やかに止める安全装置を提供する。
【課題を解決するための手段】
【０００６】  送油管が切断されて油が流出するときは通常の使用時より油の流量が多くなることに着目し、流量変化を感知して動作し、油の流出を遮断する方法を研究した。【０００７】  油タンク出口と送油管の接合部に長さ６０ｍｍ程、内径８ｍｍ程の管状の装置を後部が若干高くなるようにしながら油タンク出口と送油管が連通するように接続し、油の流れの方向に対して手前の一部の内径を少し太くし、その部分に直径７．５ｍｍ程の鋼球を置き、装置の後方は内径をテーパー状に絞り込んで最終的には鋼球の直径より細くしておく。【０００８】  内径の少し太くなった場所は、通常の油の流量では鋼球をそこに留めておける深さになっている準安定場所であるが、流量が多くなると油の力で鋼球はそこから押し出され、前方に進み内径の細くなった部分に嵌まり、油の流れを止める働きをする。
【考案の効果】
【０００９】  本考案の装置は作動部分が管内にあり、油の流量が大きくなったときに自動的に作動するように仕組んであるので、外からそれを操作することはできず、灯油の盗難防止に効果がある。
【考案を実施するための最良の形態】
【００１０】  本考案の装置は長さ６０ｍｍ程で内径ほぼ８ｍｍの管状のもので油タンクの出口で送油管の手前に取り付け、管内には管の内径より少し小さな直径の鋼球が入れてあり、油の流れる管内の入り口付近は鋼球がそこに停留しておられるよう、少し凹ませた準安定場所が設けてある。また管の出口付近は内径をテーパー状に絞り込み最終的には鋼球の直径よりも細くしてある。
【実施例】
【００１１】  本考案の油流出遮断装置を図面に基づいて説明すると、図１は横から見た本装置の中心軸を通る断面図で、対辺２２ｍｍの黄銅製の六角柱から削りだして作成してある。図の左端は油タンク出口側に取り付けるための差し込み口１で雄ねじが切ってあり、右端は送油管を差し込んで固定する受け口２で雌ねじが切ってある。油はこの図の左から右に向かって流れる。【００１２】  管の内径は８ｍｍであるが、以下に述べるように一部細工が施してある。入り口近くの準安定場所３は５ｍｍ程の長さにわたって内径が９ｍｍ程に太くしてある。この装置を水平に置くときは、直径７．５ｍｍの鋼球４はこの場所に準安定的に留まっている。【００１３】  管の後方の一部は鋼球捕捉部５で、長さ７ｍｍに亘って内径８ｍｍから７．４５ｍｍにテーパー状に絞り込んである。【００１４】  前述の準安定場所３の下部には４ｍｍのビス穴６が切ってあり、４ｍｍの流量閾値調節用ビス７が装着してあって、これを回すことにより、準安定場所の深さが調節できるようになっている。深さを変化させることにより、鋼球を準安定場所から押し出すに必要な油の流量閾値を決めることができる。通常の使用時の油流量では鋼球が準安定場所に留まっておられる深さにしてある。【００１５】  図２は準安定場所の管の中心軸に対して垂直に切断した部分を示すＡ−Ａ’断面図で、鋼球４を挟んで図の左右に、段差を付けた窓嵌め込み用の穴８が掘ってあり、窓として透明なプラスチック板９を嵌め込んで穴の段差部に接着してある。一方の窓から光を当てた時、鋼球があれば光は透過しないので鋼球の有無を確認することができる。【００１６】  また同じ切断面に斜めから鋼球保持用ビス１０が取り付けてあり、出荷時にはビスを締めて鋼球が準安定場所から動かないように固定することができるようにしてある。すべてのセットが完了した段階で鋼球保持用ビス１０を緩めて鋼球が自由に動けるようにする。【００１７】  図３は鋼球が鋼球捕捉部５に捕捉された状況を示す、管の中心軸を通る面で切断した時の部分断面図で、鋼球４がテーパー状に絞り込んである部分に捕捉されている。鋼球のすぐ後ろからビスが先端を出せるように、管にビス穴１１を開け、鋼球押し出し用ビス１２を嵌めてある。鋼球が鋼球捕捉部５に捕捉された後、この鋼球押し出し用ビス１２を繰り出して鋼球を押すと、この装置は緩やかな勾配が取ってあるので、鋼球は転がって準安定場所に戻る。【００１８】  流量閾値調節用ビス７も鋼球保持用ビス１０も鋼球押し出し用ビス１２もそのネジ部分から油が漏れ出ないようにパッキングを挟むなどの工夫をし、かつこのビスが抜き取られないように、ビスを嵌めたのち、ビスの頭の周辺をかしめておく必要がある。
【産業上の利用の可能性】
【００１９】  以上述べたように本考案の油流出遮断装置は外部からはその仕組みが見えず、送油管が切断されたときは、管内の鋼球が鋼球捕捉部まで移動して、油の流れを遮断するので、油の盗難を防止することができる。
【図面の簡単な説明】
【００２０】
【図１】本考案の装置の断面図
【図２】準安定場所を垂直に切断した部分を示すＡ−Ａ’断面図
【図３】鋼球捕捉部の部分断面図
【符号の説明】
【００２１】  １  タンク出口への差し込み口
２  送油管受け口
３  鋼球停留位置
４  鋼球
５  鋼球捕捉部
６  閾値設定用ビス穴
７  閾値設定用ビス
８  窓嵌め込み用の穴
９  透明なプラスチック板
１０  鋼球保持用ビス
１１  ビス穴
１２  鋼球押し出し用ビス
【図１】
0003151627.tif 000003
【図２】
0003151627.tif 000004
【図３】
0003151627.tif 000005